【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】記録装置および電源制御方法およびコンピュータが読み取り可能なプログラムを格納した記憶媒体およびプログラム
【手続補正２】
【補正対象書類名】明細書
【補正対象項目名】特許請求の範囲
【補正方法】変更
【補正の内容】
【特許請求の範囲】
【請求項１】
所定のケーブルを介してダイレクト接続された周辺デバイスと通信するとともに、該所定のケーブルを介して該周辺デバイスに電源を供給可能な記録装置であって、
記録手段の駆動を制御し記録媒体に前記周辺デバイスから入力される画像データに基づく記録を行う印刷制御手段と、
前記記録手段を駆動した記録動作中に、記録動作を停止するエラーが発生しているかどうかを判断する判断手段と、
前記判断手段によりエラーが発生していると判断された場合に、前記周辺デバイスに対する電源供給を停止する電源制御手段とを備えたことを特徴とする記録装置。
【請求項２】
前記周辺デバイスを用いての記録に対する設定を行える操作手段を有し、前記電源制御手段は前記操作手段を介して記録指示がなされた場合に電源供給を行うことを特徴とする請求項１に記載の記録装置。
【請求項３】
前記記録装置は電池により駆動可能であることを特徴とする請求項１又は２に記載の記録装置。
【請求項４】
前記電源制御手段は、記録再開示指示に基づき、前記周辺デバイスの供給を再開することを特徴とする請求項１〜３のいずれかに記載の記録装置。
【請求項５】
前記判断手段は、供給される記録媒体の紙詰まり、給送される記録媒体の搬送不良、前記記録手段内の記録剤切れのいずれかが発生している場合に、記録動作を停止するようなエラーが発生していると判断することを特徴とする請求項１〜４のいずれかに記載の記録装置。
【請求項６】
前記電源制御手段は、前記判断手段により、前記エラー発生時に、予め設定されたキー操作によって前記記録手段を含む機能回復動作指示を行い、該機能回復動作指示に対する応答結果に基づき、正常記録動作が可能となったと判断した場合に、前記周辺デバイスに供給する電源電圧をオンすることを特徴とする請求項５記載の記録装置。
【請求項７】
所定のケーブルは、ＵＳＢインタフェースであることを特徴とする請求項１〜６のいずれかに記載の記録装置。
【請求項８】
前記周辺デバイスは、前記電源制御手段を介して供給される電源により駆動される原稿画像を読み取り可能なスキャナであることを特徴とする請求項１〜７のいずれかに記載の記録装置。
【請求項９】
所定のケーブルを介してダイレクトに接続された周辺デバイスと通信するとともに、該所定のケーブルを介して該周辺デバイスに電源を供給可能な記録装置における電源制御方法であって、
記録部の駆動を制御し記録媒体に前記周辺デバイスから入力される画像データに基づく記録を行う印刷制御ステップと、
前記記録部を駆動した記録動作中に、記録動作を停止するエラーが発生しているかどうかを判断する判断ステップと、
前記判断ステップによりエラーが発生していると判断された場合に、前記周辺デバイスに対する電源供給を停止する電源制御ステップとを備えたことを特徴とする電源制御方法。
【請求項１０】
前記記録装置は前記周辺デバイスを用いての記録に対する設定を行える操作部を備え、前記電源制御ステップは前記操作部を介して記録指示がなされた場合に電源供給を行うことを特徴とする請求項９に記載の電源制御方法。
【請求項１１】
前記記録装置は電池により駆動可能であることを特徴とする請求項９又は１０に記載の電源制御方法。
【請求項１２】
前記電源制御ステップは、記録再開示指示に基づき、前記周辺デバイスの供給を再開することを特徴とする請求項９〜１１のいずれかに記載の電源制御方法。
【請求項１３】
前記判断ステップは、供給される記録媒体の紙詰まり、給送される記録媒体の搬送不良、前記記録部内の記録剤切れのいずれかが発生している場合に、記録動作を停止するようなエラーが発生していると判断することを特徴とする請求項９〜１２のいずれかに記載の電源制御方法。
【請求項１４】
前記電源制御ステップは、前記判断ステップにより、前記エラー発生時に、予め設定されたキー操作によって前記記録部を含む機能回復動作指示を行い、該機能回復動作指示に対する応答結果に基づき、正常記録動作が可能となったと判断した場合に、前記周辺デバイスに供給する電源電圧をオンすることを特徴とする請求項１３記載の電源制御方法。
【請求項１５】
所定のケーブルは、ＵＳＢインタフェースであることを特徴とする請求項１０〜１５のいずれかに記載の電源制御方法。
【請求項１６】
前記周辺デバイスは、前記電源制御ステップにより供給される電源により駆動される原稿画像を読み取り可能なスキャナであることを特徴とする請求項１０〜１６のいずれかに記載の電源制御方法。
【請求項１７】
請求項９〜１６のいずれかに記載の電源制御方法を前記記録装置に実行させるためのプログラム。
【請求項１８】
請求項１７に記載のプログラムを格納したコンピュータが読取可能な記憶媒体。
【手続補正３】
【補正対象書類名】明細書
【補正対象項目名】０００１
【補正方法】変更
【補正の内容】
【０００１】
【発明の属する技術分野】
本発明は、所定のケーブルを介して周辺デバイスに電源を供給可能な記録装置および電源制御方法およびコンピュータが読み取り可能なプログラムを格納した記憶媒体およびプログラムに関するものである。
【手続補正４】
【補正対象書類名】明細書
【補正対象項目名】００１２
【補正方法】変更
【補正の内容】
【００１２】
本発明は、上記の問題点を解決するためになされたもので、本発明の目的は、所定のケーブルを介して周辺デバイスと通信するとともに、該所定のケーブルを介して該周辺デバイスに電源を供給可能な記録装置において、記録手段の駆動を制御し記録媒体に前記周辺デバイスから入力される画像データに基づく記録を行う場合に、記録手段を駆動した記録動作中に、記録動作を停止するエラーが発生していると判断された場合に、前記周辺デバイスに対する電源供給を停止することにより、記録動作を停止するようなエラーが発生して正常に復旧するまでの間、周辺デバイスに対する電源供給を停止可能となり、エラー発生からエラー復旧までの間に消費される無駄な電力を節減できる利便性に優れた電源管理を行える記録装置および電源制御方法およびコンピュータが読み取り可能なプログラムを格納した記憶媒体およびプログラムを提供することである。
【手続補正５】
【補正対象書類名】明細書
【補正対象項目名】００１４
【補正方法】変更
【補正の内容】
【００１４】
本発明は、所定のケーブルを介してダイレクト接続された周辺デバイスと通信するとともに、該所定のケーブルを介して該周辺デバイスに電源を供給可能な記録装置であって、記録手段の駆動を制御し記録媒体に前記周辺デバイスから入力される画像データに基づく記録を行う印刷制御手段と、前記記録手段を駆動した記録動作中に、記録動作を停止するエラーが発生しているかどうかを判断する判断手段と、前記判断手段によりエラーが発生していると判断された場合に、前記周辺デバイスに対する電源供給を停止する電源制御手段とを備えたことを特徴とする。
また、所定のケーブルを介してダイレクトに接続された周辺デバイスと通信するとともに、該所定のケーブルを介して該周辺デバイスに電源を供給可能な記録装置における電源制御方法であって、記録部の駆動を制御し記録媒体に前記周辺デバイスから入力される画像データに基づく記録を行う印刷制御ステップと、前記記録部を駆動した記録動作中に、記録動作を停止するエラーが発生しているかどうかを判断する判断ステップと、前記判断ステップによりエラーが発生していると判断された場合に、前記周辺デバイスに対する電源供給を停止する電源制御ステップとを備えたことを特徴とする。
【手続補正６】
【補正対象書類名】明細書
【補正対象項目名】００７３
【補正方法】変更
【補正の内容】
【００７３】
以上説明したように、本発明によれば、記録手段の駆動を制御し記録媒体に前記周辺デバイスから入力される画像データに基づく記録を行う場合に、記録手段を駆動した記録動作中に、記録動作を停止するエラーが発生していると判断された場合に、前記周辺デバイスに対する電源供給を停止するので、記録動作を停止するようなエラーが発生して正常に復旧するまでの間、周辺デバイスに対する電源供給を停止可能となり、エラー発生からエラー復旧までの間に消費される無駄な電力を節減できる利便性に優れた電源管理を行えるという効果を奏する。